【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】  表面に露出したＭＢＬリガンドを有する哺乳動物細胞におけるＬＣＰ関連補体活性化を阻害するための組成物であって、該組成物は、ＬＣＰ関連補体活性化を阻害するために有効な量のＭＢＬインヒビターを含む、組成物。
【請求項２】  前記ＭＢＬインヒビターが、単離されたＭＢＬ結合ペプチドである、請求項１に記載の組成物。
【請求項３】  前記単離されたＭＢＬ結合ペプチドが、ＭＢＬ結合ＣＤＲ３領域またはその機能的改変体を有する、請求項２に記載の組成物。
【請求項４】  前記単離されたＭＢＬ結合ペプチドが、抗体フラグメントである、請求項２に記載の組成物。
【請求項５】  前記単離されたＭＢＬ結合ペプチドが、抗体である、請求項２に記載の組成物。
【請求項６】  前記ＭＢＬインヒビターが、単離されたＭＡＳＰ結合ペプチドである、請求項１に記載の組成物。
【請求項７】 スクリーニングアッセイにおいて使用するための、請求項２に記載の組成物。
【請求項８】  ＭＢＬインヒビターが、ＬＣＰ関連補体活性化を阻害するために有効な量において被験体に投与されるのに適している、請求項１に記載の組成物。
【請求項９】  前記ＭＢＬインヒビターが、単離されたＭＢＬ結合ペプチドである、請求項８に記載の組成物。
【請求項１０】  前記単離されたＭＢＬ結合ペプチドが、ＭＢＬ結合ＣＤＲ３領域またはその機能的改変体を有する、請求項９に記載の組成物。
【請求項１１】  前記単離されたＭＢＬ結合ペプチドが、抗体フラグメントである、請求項９に記載の組成物。
【請求項１２】  前記単離されたＭＢＬ結合ペプチドが、抗体である、請求項９に記載の組成物。
【請求項１３】  前記ＭＢＬインヒビターが、単離されたＭＡＳＰ結合ペプチドである、請求項８に記載の組成物。
【請求項１４】  ＬＣＰ関連補体活性化によって媒介される細胞傷害が、アテローム性動脈硬化症に関連する組織傷害に寄与する、請求項８に記載の組成物。
【請求項１５】  ＬＣＰ関連補体活性化によって媒介される細胞傷害が、肺系に関連する組織傷害に寄与する、請求項８に記載の組成物。
【請求項１６】  前記ＭＢＬインヒビターが、エアロゾル経路の送達によって被験体に投与されるのに適している、請求項１５に記載の組成物。
【請求項１７】  請求項８に記載の組成物であって、ここでＬＣＰ関連補体活性化によって媒介される細胞傷害が、関節炎、心筋梗塞、虚血、再灌流、移植、ＣＰＢ、発作、ＡＲＤ、ＳＬＥ、狼瘡および透析からなる群より選択される障害に関連する組織傷害に寄与する、組成物。
【請求項１８】  ＭＢＬインヒビターを含む組成物であって、ここで該ＭＢＬインヒビターが、ヒトＭＢＬエピトープに選択的に結合し、かつＬＣＰ関連補体活性化を阻害する単離された結合ペプチドである、組成物。
【請求項１９】  請求項１８に記載の組成物であって、ここで、前記単離されたＭＢＬ結合ペプチドが、ＡＴＣＣ登録番号ＨＢ−１２６２１下に寄託されるハイブリドーマ細胞株（３Ｆ８）により産生されるモノクローナル抗体のＭＢＬ結合ＣＤＲ３１領域またはその機能的改変体を有する、組成物。
【請求項２０】  請求項１８に記載の組成物であって、ここで、前記単離されたＭＢＬ結合ペプチドが、ＡＴＣＣ登録番号ＨＢ−１２６２０下に寄託されるハイブリドーマ細胞株（２Ａ９）により産生されるモノクローナル抗体のＭＢＬ結合ＣＤＲ３２領域またはその機能的改変体を有する、組成物。
【請求項２１】  請求項１８に記載の組成物であって、ここで、前記単離されたＭＢＬ結合ペプチドが、ＡＴＣＣ登録番号ＨＢ−１２６１９下に寄託されるハイブリドーマ細胞株（ｈＭＢＬ１．２）により産生されるモノクローナル抗体のＭＢＬ結合ＣＤＲ３１領域またはその機能的改変体を有する、組成物。
【請求項２２】  前記単離されたペプチドが、インタクトな可溶性モノクローナル抗体である、請求項１８に記載の組成物。
【請求項２３】  前記単離されたペプチドが、ＡＴＣＣ登録番号ＨＢ−１２６２１下に寄託されるハイブリドーマ細胞株により産生されるモノクローナル抗体（３Ｆ８）である、請求項１８に記載の組成物。
【請求項２４】  前記単離されたペプチドが、ＡＴＣＣ登録番号ＨＢ−１２６２０下に寄託されるハイブリドーマ細胞株により産生されるモノクローナル抗体（２Ａ９）である、請求項１８に記載の組成物。
【請求項２５】  前記単離されたペプチドが、ＡＴＣＣ登録番号ＨＢ−１２６１９下に寄託されるハイブリドーマ細胞株により産生されるモノクローナル抗体（ｈＭＢＬ１．２）である、請求項１８に記載の組成物。
【請求項２６】  前記単離されたペプチドがヒト化モノクローナル抗体である、請求項１８に記載の組成物。
【請求項２７】  前記単離されたペプチドが、Ｆ（ａｂ’）２フラグメント、ＦｄフラグメントおよびＦａｂフラグメントからなる群より選択されるモノクローナル抗体フラグメントである、請求項１８に記載の組成物。
【請求項２８】  請求項１８に記載の組成物であって、ここで、前記単離されたペプチドが、ＡＴＣＣ登録番号ＨＢ−１２６２１下に寄託されるハイブリドーマ（３Ｆ８）により産生されるモノクローナル抗体のＣＤＲ２（３Ｆ８）、ＡＴＣＣ登録番号ＨＢ−１２６２０下に寄託されるハイブリドーマ（２Ａ９）により産生されるモノクローナル抗体のＣＤＲ２（２Ａ９）およびＡＴＣＣ登録番号ＨＢ−１２６１９下に寄託されるハイブリドーマ（ｈＭＢＬ１．２）により産生されるモノクローナル抗体のＣＤＲ２（ｈＭＢＬ１．２）からなる群より選択される軽鎖ＣＤＲ２領域を有する、組成物。
【請求項２９】  請求項１８に記載の組成物であって、ここで、前記単離されたペプチドが、ＡＴＣＣ登録番号ＨＢ−１２６２１下に寄託されるハイブリドーマ（３Ｆ８）により産生されるモノクローナル抗体のＣＤＲ１（３Ｆ８）、ＡＴＣＣ登録番号ＨＢ−１２６２０下に寄託されるハイブリドーマ（２Ａ９）により産生されるモノクローナル抗体のＣＤＲ１（２Ａ９）およびＡＴＣＣ登録番号ＨＢ−１２６１９下に寄託されるハイブリドーマｈＭＢＬ１．２により産生されるモノクローナル抗体（ｈＭＢＬ１．２）のＣＤＲ１（ｈＭＢＬ１．２）からなる群より選択される軽鎖ＣＤＲ１領域を有する、組成物。
【請求項３０】  ＡＴＣＣ登録番号ＨＢ−１２６２１下に寄託されるハイブリドーマ細胞株。
【請求項３１】  ＡＴＣＣ登録番号ＨＢ−１２６２０下に寄託されるハイブリドーマ細胞株。
【請求項３２】  ＡＴＣＣ登録番号ＨＢ−１２６１９下に寄託されるハイブリドーマ細胞株。
【請求項３３】  前記組成物が、前記単離されたＭＢＬ結合ペプチドのＭＢＬ媒介性障害を処置するための有効量および薬学的に受容可能なキャリアを含む薬学的組成物である、請求項１８に記載の組成物。
【請求項３４】  ＭＢＬ媒介性障害の処置のための薬物をさらに含む、請求項３３に記載の組成物。
【請求項３５】  ＭＢＬインヒビターを含む組成物であって、ここで該ＭＢＬインヒビターが、（ｉ）ヒトＭＢＬエピトープに選択的に結合し、そして（ｉｉ）ＬＣＰ活性化を予防する抗−ＭＢＬ抗体である、組成物。
【請求項３６】  ＭＢＬインヒビターを用いる処置に対する感受性について細胞をスクリーニングするための方法であって、該方法は、哺乳動物細胞の表面上のＭＢＬの存在を検出する工程を包含し、ここで該ＭＢＬの存在が、該細胞がＬＣＰ関連補体活性化に対して感受性であり、かつ被験体がＭＢＬインヒビターを用いる処置に対して感受性であることを示す、方法。
【請求項３７】  前記哺乳動物細胞が、前記被験体から単離される、請求項３６に記載の方法。
【請求項３８】  前記哺乳動物細胞が、内皮細胞である、請求項３６に記載の方法。
【請求項３９】  前記方法が、前記ＭＢＬを該ＭＢＬと選択的に結合する検出試薬と接触させて、該ＭＢＬの存在を検出する工程を含む、請求項３６に記載の方法。
【請求項４０】  前記検出試薬が、単離されたＭＢＬ結合タンパク質である、請求項３９に記載の方法。
【請求項４１】  前記検出試薬が、標識された単離されたＭＢＬ結合ペプチドである、請求項３９に記載の方法。